(57)【要約】【課題】より簡単な構成で、回転軸と平行な方向について蓋体を本体にガタツキなく固定できる電子機器を提供する。【解決手段】電池蓋２は、基端が回転軸２２によって支えられ、回転軸２２を中心に回転可能である。電池蓋２は、電池収納部１２及びカードスロット１３をカバーした状態で電池収納部１２及びカードスロット１３と向き合う面内において、先端近傍に突起部２を備える。突起部２は、デジタルカメラ１００の背面側に配置される。本体１は、電池蓋２が電池収納部１２及びカードスロット１３をカバーした状態において、突起部２１と係合する穴部１１を備える。穴部１１は、電池蓋２が電池収納部１２及びカードスロット１３をカバーした状態において、突起部２１と係合することによって、回転軸２２方向と平行な方向について電池蓋２を規制する。【選択図】図１
2008181043.tif 000002
【特許請求の範囲】
【請求項１】
基端が軸によって支えられ、本体の開口部を開閉自在にカバー可能な蓋体を備える電子機器であって、
蓋体は、前記開口部をカバーした状態で前記開口部と向き合う面内において、先端近傍に被係合部を備え、
前記本体は、前記蓋体が前記開口部をカバーした状態において、前記被係合部と係合する係合部を備え、
前記係合部は、前記蓋体を閉じる方向に移動することによって前記被係合部と係合可能であり、前記被係合部と係合することによって、前記蓋体の回転軸方向と平行な方向について前記蓋体を規制する、
電子機器。
【請求項２】
前記被係合部は突起状の形状であり、
前記係合部は、前記被係合部が収まるような穴状の形状であり、
前記係合部の側壁は、前記係合部の開口方向に開いたテーパー形状である、
請求項１に記載の電子機器。
【請求項３】
前記開口部は、前記蓋体が閉じた状態でカバーする領域のうち、前記回転軸方向において該領域の中心からずれた位置に配置され、
前記被係合部は、前記回転軸方向において、前記開口部が配置された位置とは異なる位置に配置される、
請求項１に記載の電子機器。
【発明の詳細な説明】
【技術分野】
【０００１】
本発明は、蓋体を備える電子機器に関する。
【背景技術】
【０００２】
電池蓋をはじめとする蓋体を備える電子機器は多い。その中には、蓋体を本体に対して回転可能なものも多い。このような蓋構造では、回転軸と垂直な方向については、容易に、蓋体を本体にガタツキなく取り付けることができる。しかし、回転軸と平行な方向については、ガタツキを生じ易い。
【０００３】
特許文献１は、蓋体を回転運動により閉じた後、蓋体を本体に対してスライドさせる蓋構造を開示している。より具体的には、蓋体を本体に対してスライドさせることにより、本体側の係り片と蓋側の爪部とが係り合うことにより、蓋体は固定される。これにより、回転軸と平行な方向について蓋体を本体にガタツキなく固定できる。
【特許文献１】特開２００４−１７８９４８号公報
【発明の開示】
【発明が解決しようとする課題】
【０００４】
しかしながら、従来の電子機器では、蓋体をガタツキなく固定するために、回転機構に加えてスライド機構も設ける必要がある。このような構成では、電子機器の部品点数が多くなってしまう。
【０００５】
そこで、本発明は、より簡単な構成で、回転軸と平行な方向について蓋体を本体にガタツキなく固定できる電子機器を提供することを目的とする。
【課題を解決するための手段】
【０００６】
上記の問題点を解決するために、本発明の電子機器は、基端が軸によって支えられ、本体の開口部を開閉自在にカバー可能な蓋体を備える電子機器であって、蓋体は、開口部をカバーした状態で開口部と向き合う面内において、先端近傍に被係合部を備え、本体は、蓋体が開口部をカバーした状態において、被係合部と係合する係合部を備え、係合部は、蓋体を閉じる方向に移動することによって被係合部と係合可能であり、被係合部と係合することによって、蓋体の回転軸方向と平行な方向について蓋体を規制する。これにより、簡単な構成で、蓋体が閉じた状態において、回転軸方向と平行な方向について蓋体がガタツクのを防止できる。
【０００７】
ここで、被係合部は突起状の形状としてもよい。この場合、係合部は、被係合部が収まるような穴状の形状とし、係合部の側壁は、係合部の開口方向に開いたテーパー形状とする。これにより、被係合部は、蓋体が閉じる際に、係合部に入り込みやすくなっている。また、被係合部が係合部の側壁に当接した状態において、係合部のテーパー状の側壁で被係合部を規制することにより、被係合部をガタツキなく規制できる。また、係合部の側壁は、係合部の開口方向に開いたテーパー形状であるため、蓋体を開く際に、被係合部と係合部との間に余分な摩擦が生じず、スムーズに蓋体を開くことができる。
【０００８】
また、開口部は、蓋体が閉じた状態でカバーする領域のうち、回転軸方向において該領域の中心からずれた位置に配置され、被係合部は、回転軸方向において、開口部が配置された位置とは異なる位置に配置されるようにしてもよい。これにより、被係合部及び係合部の配置を容易にすることができる。
【発明の効果】
【０００９】
本発明によれば、より簡単な構成で、回転軸と平行な方向について蓋体を本体にガタツキなく固定できる。
【発明を実施するための最良の形態】
【００１０】
（実施の形態）
図１は、本発明の実施の形態にかかるデジタルカメラ１００の底面から見た斜視図である。本体１には、電池蓋２が備えられている。電池蓋２がカバーするエリアには、電池収納部１２及びカードスロット１３が設けられている。
【００１１】
電池蓋２は、基端が回転軸２２によって支えられ、回転軸２２を中心に回転可能である。また、回転軸２２にはバネ（不図示）が設けられている。このため、電池蓋２は、係止爪２３と本体１の係止穴（不図示）との係止を外すと、自動的開く。電池蓋２は、電池収納部１２及びカードスロット１３をカバーした状態で電池収納部１２及びカードスロット１３と向き合う面内において、先端近傍に突起部２１を備える。突起部２１は、デジタルカメラ１００の背面側に配置される。
【００１２】
また、電池蓋２は、係止爪２３を備える。係止爪２３は、使用者の操作により進退自在である。電池蓋２は、係止部２３が本体１に設けた穴（不図示）に係止されることにより、電池収納部１２及びカードスロット１３をカバーした状態で本体１に保持される。
【００１３】
本体１は、電池蓋２が電池収納部１２及びカードスロット１３をカバーした状態において、突起部２１と係合する穴部１１を備える。穴部１１は、電池蓋２を閉じる方向に移動することにより、突起部２１と係合可能である。穴部１１は、突起部２１と係合することによって、回転軸２２方向と平行な方向について電池蓋２を規制する。これにより、電池蓋２が閉じた状態において、回転軸２２方向と平行な方向について電池蓋２がガタツクのを防止できる。そのため、回転軸２２に過剰な負荷がかからず、回転軸２２の破損を防止できる。
【００１４】
図２は、電池蓋２が電池収納部１２及びカードスロット１３をカバーした状態における、本体１及び電池蓋２の要部拡大断面図である。突起部２は、穴部１１に規制されている。穴部１１の側壁は、穴部１１の開口方向に開いたテーパー形状である。これにより、突起部２は、電池蓋２が閉じる際に、穴部１１に入り込みやすくなっている。また、突起部２が穴部１１の側壁に当接した状態において、穴部１１のテーパー状の側壁で突起部２を規制することにより、突起部２をガタツキなく規制できる。また、穴部１１の側壁は、穴部１１の開口方向に開いたテーパー形状であるため、電池蓋２を開く際に、突起部２１と穴部１１との間に余分な摩擦が生じず、スムーズに電池蓋２を開くことができる。そのため、弱い復元力のバネを回転軸２２に取り付けることもできる。
【００１５】
図１に戻って、電池収納部１２は、電池３を着脱可能に収納する。カードスロット１３は、メモリーカード（不図示）を着脱可能に収納する。電池収納部１２及びカードスロット１３は、電池蓋２が閉じた状態でカバーする領域のうち、回転軸２２と平行な方向において、その領域の中心からずれた位置に配置される。本実施例では、電池収納部１２及びカードスロット１３は、中心よりデジタルカメラ１００の前面側（被写体側）に配置される。そのため、それとは異なる位置に穴部１１を配置できる。この実施例では、デジタルカメラ１００の背面側に、穴部１１を配置している。
【００１６】
なお、電池収納部１２及びカードスロット１３は、本発明の開口部の一例である。しかし、本発明の開口部は、これに限定されない。例えば、ＵＳＢ端子などの信号端子であってもよい。要するに、蓋でカバーする領域に存在するものであればよい。
【００１７】
電池蓋２は、本発明の蓋体の一例である。しかし、本発明の蓋体は、これに限定されない。電池収納部用の蓋に限らず、電子機器の蓋であればよい。
【００１８】
デジタルカメラ１００は、本発明の電子機器の一例である。しかし、本発明の電子機器はこれに限定されない。例えば、携帯電話端末やオーディオ機器端末等であってもよい。要するに蓋体を有する電子機器であればよい。
【００１９】
突起部２１は、本発明の被係合部の一例である。しかし、本発明の被係合部は、これに限定されない。例えば、被係合部を穴形状の凹部として構成してもよい。この場合、被係合部と係合する係合部を、突起部とするのが好ましい。
【００２０】
穴部１１は、本発明の係合部の一例である。しかし、本発明の係合部は、これには限定されない。例えば、上述のように、突起部としてもよい。要するに、蓋体の回転軸方向と平行な方向について蓋体を規制するものであればよい。
【産業上の利用可能性】
【００２１】
本発明は、蓋体を備える電子機器に適用可能である。より具体的には、デジタルスチルカメラや携帯電話端末などに適用可能である。
【図面の簡単な説明】
【００２２】
【図１】本発明の実施の形態に係るデジタルカメラの底面から見た斜視図
【図２】本発明の実施の形態に係るデジタルカメラの要部拡大断面図
【符号の説明】
【００２３】
１    本体
１１    穴部
１２    電池収納部
１３    カードスロット
２    電池蓋
２１    突起部
２２    回転軸
２３    係止爪
３    電池
１００    デジタルカメラ
【図１】
2008181043.tif 000003
【図２】
2008181043.tif 000004